(57)【要約】【課題】  防水性を有する光電変換回路内蔵型コネクタを提供する。【解決手段】  レセプタクル２の一部をシールドケース７にて構成し、シールドケース７内に光電変換回路２２を収容する。レセプタクル２と電気機器Ａの筺体１０８間、および、レセプタクル２と光プラグ３３間にＯリングが介在し、防水性を実現している。レセプタクル２と光プラグ３３との接続時、フェルール２４ａ，２４ｂ，３７に加わるストレスを解消する機能を具備して構成した。【選択図】        図１
2009086562.tif 000002
【特許請求の範囲】
【請求項１】
光プラグを接続することにより光電変換を行う光電変換回路を収容してなるレセプタクルにおいて、当該レセプタクルは、電気機器のケースに固定されて該ケース内部に延出する中空構造の第一筒部と、該第一筒部から連続して、前記ケースの外側面に当接するフランジ部と、当該フランジ部から連続して、前記ケース外部に延出することにより前記光プラグを接続する第二筒部とからなる固定部と、前記第一筒部に結合されて、内部に前記光電変換回路を収容するシールドケースと、当該シールドケースの一端開口部を閉塞し、かつ、前記光電変換回路に接続された電気信号線を挿通するエンドキャップを備えて構成したことを特徴とする光電変換回路内蔵型コネクタ。
【請求項２】
前記固定部は、その内側に前記光電変換回路を固定する固定座を嵌合し、当該固定座には、前記第一筒部の軸心方向に固定孔が穿設され、一方、前記光電変換回路には、該固定孔に支持される支持片が具備され、前記エンドキャップとの間に挟持されることにより、前記シールドケース内に揺動不能に収容されることを特徴とする請求項１記載の光電変換回路内蔵型コネクタ。
【請求項３】
前記固定座は、前記固定部内側に固定された支持座と、前記固定部内側に取付けられた固定金具間に挟持された状態で前記支持座によって固定されることを特徴とする請求項２記載の光電変換回路内蔵型コネクタ。
【請求項４】
前記支持座にはその中央部に第一の貫通孔と、当該第一の貫通孔と連通する固定座側の部位に、当該第一の貫通孔から拡開した溝部が形成され、前記固定座には、その中央部に前記第一の貫通孔と略同径の第二の貫通孔が形成され、当該第一，二の貫通孔には、光コードを内通したフェルールが挿通され、かつ、前記溝部には、該フェルールの中途から外側に張出して形成した鍔部と、前記第一の貫通孔を挿通するフェルールを内嵌したばね部材が嵌合され、前記支持片は、その先端部と前記固定孔の底部付近間に若干の隙間が形成される長さ寸法で構成したことを特徴とする請求項２，３記載の光電変換回路内蔵型コネクタ。
【請求項５】
前記支持座は、前記光プラグとの接続時、コネクタ側のフェルールと当該光プラグ側のフェルールに内通した各々の光コード間の光軸合わせを実現する位置合わせ部材を具備して構成したことを特徴とする請求項４記載の光電変換回路内蔵型コネクタ。
【請求項６】
前記フランジ部は、電気機器のケースとの当接面に第一筒部を囲繞する周溝を形成して第一のリング部材を嵌め込み、前記第二筒部の内周面には、前記光プラグとの間に挟み込まれる第二のリング部材を取り付けることにより防水機能を実現したことを特徴とする請求項１ないし５記載の光電変換回路内蔵型コネクタ。
【発明の詳細な説明】
【技術分野】
【０００１】
本発明は、光プラグを接続するコネクタに関し、特に、コネクタの内部に光電変換回路を内蔵してなる防水型のコネクタ構造に関する。
【背景技術】
【０００２】
近年、電気装置相互間の情報通信分野において、高速なデータ通信を可能とする光通信技術が広く採用されている。当該光通信において、光信号を伝送するための光伝送媒体は光ファイバであり、光ファイバは、これに接続したプラグを電気装置に取付けたコネクタに接続する。
【０００３】
電気装置内には、コネクタから延長された光ファイバが配設され、電気装置内に備えられた光電変換回路に接続される。光電変換回路は、光ファイバを介して伝送される光信号を電気信号に変換して、遠隔の電気装置からの信号を受信する。
【０００４】
この種の光電変換器は、従来から種々提案されており（特許文献１参照）、その一例として、例えば、図６に示す構造のものが知られている。
【特許文献１】特開平６−２９１７２６号公報
【０００５】
図６は、金属製の収容ケース１０１内に、光電変換回路を形成する配線基板１０２を一対の導電性スタンド１０３を介して架橋支持すると共に、収容ケース１０１の一側板外面に光コネクタレセプタクル１０４をネジ１０５にて取り付け、この光コネクタレセプタクル１０４内の図示しない光電接続素子を配線基板１０２に接続して、光電変換器Ｂは概略構成されている。
【０００６】
前記収容ケース１０１は、これと同形のカバーケース１０６にて被嵌され、収容ケース１０１の側板に設けた係合爪（図示せず）をカバーケース１０６の側板に設けた係合孔１０７に係合し、両ケース１０１，１０６を一体に組み合わせ、密閉状態としている。
【０００７】
上記構成の光電変換器Ｂは、通常、図７に示すように、電気機器Ａの装置筺体１０８内に収容された電気基板１０９上にシールドケース１１０によって囲繞されて取付けられる。これは、光電変換回路はノイズに弱いため、外部のノイズから光電変換回路を遮蔽するため、金属体によって周囲を覆う必要があるからである。
【０００８】
前記光電変換器Ｂに接続する光プラグは、装置筺体１０８に取り付けた防水コネクタ１１１から延びる光ファイバ等の光伝送媒体１１２に接続された状態で、前記光コネクタレセプタクル１０４と機構上結合されることにより光学的に接続されて、図示しない外部電気機器と信号伝送可能に接続され、かつ、電気機器Ａ内部の電気回路が外部からの水の浸入により故障や不具合等の問題を発生させることのないよう水密構造が保たれている。
【発明の開示】
【発明が解決しようとする課題】
【０００９】
然るに、前記構成の光電変換器Ｂは、電気機器Ａの装置筺体１０８に取り付けられた防水コネクタ１１１間に光ファイバ１１２を引き回して配線作業をしなければならず、当該配線作業時、光ファイバ１１２が断線することのないよう注意する必要があった。
【００１０】
また、前記配線作業を終了した後においても、装置本体の組立て作業時、光ファイバ１１２が断線しないよう注意しなければならず、組立て作業に必要以上に時間と神経を費やす必要が生じるばかりでなく、組立て作業時に前記光ファイバ１１２が作業の邪魔になることを防止するため、光ファイバ１１２の配設位置を特定位置に固定する所定の固定治具１１３や、光ファイバ１１２が損傷等することを防止する保護具（図示せず）を別途設けることも考慮しなければならず、効率的な組立作業が実現できなくなるとともに、装置本体のコストを上昇させる問題もあった。
【００１１】
そこで、本発明は、斯かる問題点を解決するべく、光電変換回路と防水用のコネクタを一体的に構成することにより、電気機器Ａの装置筺体１０８内に光ファイバ等の光伝送媒体１１２を引き回して配設する必要のない光電変換器を提供することを目的とする。
【課題を解決するための手段】
【００１２】
請求項１記載の発明は、光プラグを接続することにより光電変換を行う光電変換回路を収容してなるレセプタクルにおいて、当該レセプタクルは、電気機器のケースに固定されて該ケース内部に延出する中空構造の第一筒部と、該第一筒部から連続して、前記ケースの外側面に当接するフランジ部と、当該フランジ部から連続して、前記ケース外部に延出することにより前記光プラグを接続する第二筒部とからなる固定部と、前記第一筒部に結合されて、内部に前記光電変換回路を収容するシールドケースと、当該シールドケースの一端開口部を閉塞し、かつ、前記光電変換回路に接続された電気信号線を挿通するエンドキャップを備えて光電変換回路内蔵型コネクタを構成した。
【００１３】
請求項２記載の発明は、請求項１記載の光電変換回路内蔵型コネクタにおいて、前記固定部は、その内側に前記光電変換回路を固定する固定座を嵌合し、当該固定座には、前記第一筒部の軸心方向に固定孔が穿設され、一方、前記光電変換回路には、該固定孔に支持される支持片が具備され、前記エンドキャップとの間に挟持されることにより、前記シールドケース内に揺動不能に収容して構成した。
【００１４】
請求項３記載の発明は、請求項２記載の光電変換回路内蔵型コネクタにおいて、前記固定座は、前記固定部内側に固定された支持座と、前記固定部内側に取付けられた固定金具間に挟持された状態で前記支持座に対して固定するように構成した。
【００１５】
請求項４記載の発明は、請求項２，３記載の光電変換回路内蔵型コネクタにおいて、前記支持座にはその中央部に第一の貫通孔と、当該第一の貫通孔と連通する固定座側の部位に、当該第一の貫通孔から拡開した溝部が形成され、前記固定座には、その中央部に前記第一の貫通孔と略同径の第二の貫通孔が形成され、当該第一，二の貫通孔には、光コードを内通したフェルールが挿通され、かつ、前記溝部には、該フェルールの中途から外側に張出して形成した鍔部と、前記第一の貫通孔を挿通するフェルールを内嵌したばね部材が嵌合され、前記支持片は、その先端部と前記固定孔の底部間に若干の隙間が形成される長さ寸法で構成した。
【００１６】
請求項５記載の発明は、請求項４記載の光電変換回路内蔵型コネクタにおいて、前記支持座は、前記光プラグとの接続時、コネクタ側のフェルールと当該光プラグ側のフェルールに内通した各々の光コード間の光軸合わせを実現する位置合わせ部材を具備して構成した。
【００１７】
請求項６記載の発明は、請求項１ないし５記載の光電変換回路内蔵型コネクタにおいて、前記フランジ部は、電気機器のケースとの当接面に第一筒部を囲繞する周溝を形成して第一のリング部材を嵌め込み、前記第二筒部の内周面には、前記光プラグとの間に挟み込まれる第二のリング部材を取り付けることにより防水機能を実現するように構成した。
【発明の効果】
【００１８】
請求項１記載の発明によれば、装置筺体に取り付けられて、外部の電気機器に接続された光プラグを接続するコネクタ内部に、当該コネクタと一体的に光電変換回路を収容して構成したので、コネクタと光電変換回路を離間して設置する必要がなく、結果、コネクタと光電変換回路間を光ファイバ等の光伝送媒体で結ぶ必要がないので、電気機器の組立て時等に光ファイバの断線に注意する必要はなく、組立て時間の低減、および、組立て作業を容易とする効果を有する。
【００１９】
また、請求項１記載の発明によれば、装置筺体内に光ファイバの配設位置を特定する所定の固定治具や、断線を防止するための保護具を取り付ける必要がないので、製品コストが上昇することを確実に阻止することができる。
【００２０】
さらに、請求項１記載の発明によれば、装置筺体内部の電気基板に光電変換回路を取り付ける必要がないので、装置筺体に取り付けた防水コネクタから延出する光ファイバ等の光伝送媒体に接続された光プラグを接続する光コネクタを別途設ける必要がなく、部品点数を減少させることができ、装置構成を簡素化できるとともに、製品コストを低廉にすることが可能となる。
【００２１】
その上、請求項１記載の発明によれば、コネクタのケースをシールドケースとして活用できるので、コネクタ内に収容した光電変換回路を外部のノイズから確実に保護することができ、精度の高い光電変換動作を実現することができるとともに、装置筺体内に別途シールドケースを設ける必要がないので、部品点数を減少することができ、装置の小型化にも貢献することができる。
【００２２】
請求項２記載の発明によれば、コネクタ内に収容する光電変換回路を、当該光電変換回路に取り付けた支持片を固定座に形成した固定孔に支持させるとともに、シールドケースの開口部を閉塞するエンドキャップとの間に挟持することにより揺動不能に固定する構造であるため、少ない部品点数で簡易な構造により光電変換回路をコネクタ内部に確実に固定することが可能となる。
【００２３】
請求項３記載の発明によれば、固定部内側に固定された支持座と、固定部内側に取り付けられた固定金具間に挟持された状態で、支持座に対して固定座を固定する構造であるので、固定座がコネクタ内で揺動することを簡易な構造により阻止できるとともに、当該固定座に支持された光電変換回路が揺動することを確実に防止できる。
【００２４】
請求項４記載の発明によれば、光電変換回路に取り付けられる支持片は固定座に穿設した固定孔の深さ寸法より短く形成され、固定座と支持座の中央にはフェルールを挿通する第一，二の貫通孔と溝部が形成され、かつ、前記溝部には、フェルールの形成した鍔部と、当該鍔部と第一の貫通孔との間に、当該フェルールを内挿したばね部材が収容されて構成されているので、光電変換回路をコネクタのシールドケース内に収容，固定するとき、エンドキャップによって当該光電変換回路が固定座側に押し込まれた際、前記支持片は固定孔内を支持座側へ平行移動するとともにフェルールをばね部材の付勢力に抗して押し込み、固定座とエンドキャップ間に挟持することができ、光電変換回路の固定時にフェルールに不要なストレス（押圧力）が加わってこれを破損等することを確実に防止することができる。
【００２５】
請求項５記載の発明によれば、支持座に位置合わせ部材を備えて構成したので、光プラグとの接続時、コネクタ側のフェルールと光プラグ側のフェルールに内通した光コード間の光軸合わせを簡単，確実に実現することが可能となる。
【００２６】
請求項６記載の発明によれば、コネクタの所定位置にリング部材を嵌めこむことにより防水機能を実現しているので、外部からコネクタ接合部を通して水が装置筺体内部に浸入することを確実に防止でき、簡単な構造で電気機器の信頼性を確実に保持することができる。
【実施例】
【００２７】
以下、本発明の実施の形態を図１乃至図５により説明する。なお、図１乃至図５において、図６，７に示す構成部品と同一部品は同一符号を付して説明する。図１は、本発明に係るコネクタを示す縦断面図であり、図１において、１は、電気機器Ａの装置筺体１０８に螺合等して固定されるレセプタクル２を構成する固定部を示している。
【００２８】
固定部１は、中空筒形状をなす第一筒部３と、該第一筒部３の長手方向に垂直方向に外部に向けて張り出すフランジ部４、当該フランジ部４から連続して、第一筒部３と同一方向に長手方向を配置する中空円筒状の第二筒部５から構成されている。なお、第一筒部３と第二筒部５との境界内側面には、中央に向かって張り出し、その中心部に貫通孔２３ｂを形成した保持片２３が形成されており、一方、第二筒部５の外周面には、後述する光プラグとの接続時に利用される第一の係止部６が形成されている。
【００２９】
７は第一筒部３の開口部に接続される中空筒形のシールドケースであり、金属材料によって構成されている。８は前記シールドケース７の他端開口部を閉塞するエンドキャップを示しており、その中央には、後述する光電変換回路から引き出されるメタル線等からなる電気信号線９を挿通する信号線挿通孔１０が形成されている。
【００３０】
１１は固定部１の第一筒部３内に例えば、嵌込固定される支持座であり、所定の位置に複数の螺子孔１２が形成されており、また、その中央には、後述する第一のフェルールが挿通する第一の貫通孔１３が形成され、かつ、当該第一の貫通孔１３と連通する部位には、第一の貫通孔１３から拡開した溝部１４が形成されている。
【００３１】
１５は前記支持座１１の溝部１４側に、該支持座１１と当接する状態で固定部１内に収容された固定座を示しており、当該固定座１５は、第一筒部３内側面の所定位置に固定したＥリング等からなる固定金具１６との間に挟持される。
【００３２】
固定座１５には、前記螺子孔１２との間に螺子１７を螺合することにより固定座１５を支持座１１に固定する螺子孔１８を底面に形成した複数条の固定孔１９が形成されるとともに、その中央には後述する第一のフェルールを挿通する第二の貫通孔２０が形成されている。
【００３３】
２２はシールドケース７内に収容固定した光電変換回路であり、その一方端には、固定座１に形成した固定孔１９内に挿入されて光電変換回路２２を支持する支持片２３が複数条（固定孔１９と同数）具備されている。なお、当該支持片２３の長さは、前記固定孔１９に螺子１７を螺合したとき、当該螺子１７の頭部との間に若干の隙間が形成される長さ寸法で形成されている。
【００３４】
２４ａは第一の貫通孔１３および第二の貫通孔２０内を挿通する第一のフェルールであり、その中心部軸方向には、光電変換回路２２から延びる第二のフェルール２４ｂの中心に内通する光コードと突き合わされる光コード２５が内通されている。また、当該第一のフェルール２４ａはその中途位置に、第一のフェルール２４ａの軸方向と垂直外側方向に張り出す鍔部２６が設けられており、当該鍔部２６は支持座１１に形成した前記溝部１４内に収容され、常時は、第一のフェルール２４ａを内挿して鍔部２６とともに溝部１４内に収容されたばね部材２７の付勢力により、固定座１５側に押圧接触している。
【００３５】
２８はレセプタクル２を後述する光プラグと接続した場合、光プラグのフェルールに内通した光コードと、レセプタクル側の第一のフェルール２４ａに内通した光コード２５の光軸を合わせるために取り付けられた位置合わせ部材であり、前記支持座１１と一体的に構成されている。
【００３６】
２９は第二筒部５の内周側端部に形成した窪み３０に嵌合されたＯリング等からなる第二のリング部材であり、３１はフランジ部４の第一筒部３側の側面に穿設された嵌合溝３２に嵌合されたＯリング等からなる第一のリング部材である。
【００３７】
次に、上記レセプタクル２を組立てる場合について説明する。まず最初に、固定部１の内側に張り出して中央に貫通孔２１ａを形成した保持片２１に、貫通孔２３ａ内に位置合わせ部材２８を挿通させて支持部材１１を当接させる。
【００３８】
前記支持座１１が配置できたら、第一のフェルール２４ａにばね部材２７を外嵌した状態で、当該第一のフェルール２４ａを第一の貫通孔１３内に挿入する。  
【００３９】
次に、支持座１１の前記保持片１ａと相反する側面に固定座１５を当接させて第一のフェルール２４ａの鍔部１２を支持座１１と固定座１５間の溝部１４内に収容し、固定座１５に形成した固定孔１９を利用して螺子１７にて支持座１１と固定座１５を一体的に固定する。
【００４０】
その後、固定部１の内側所定位置にＥリング等の固定金具１６を取り付けることにより固定座１５の端部を支持して、支持座１１と固定座１５を保持片１ａと固定金具１６間に保持する。
【００４１】
次に、光電変換回路２２の一端に取り付けた支持片２３を固定座１５の固定孔１９に挿入（螺子１７の頭部との間には若干の隙間が形成される）して支持しつつ、第二のフェルール２４ｂを第一のフェルール２４ａと突き合わせて光軸合わせを行うとともに、当該光電変換回路２２を内部に収容するようにシールドケース７を第一筒部３に螺合する。
【００４２】
この状態で、シールドケース７の他端開口部を閉塞するように電気信号線９を信号線挿通孔１０に挿通させたエンドキャップ８を嵌め込み、当該エンドキャップ８で光電変換回路２２を固定座１５側へ押し込む。
【００４３】
この結果、光電変換回路２２に取り付けた支持片２３は固定座１５の固定孔１９に取り付けた螺子１７の頭部との間に形成された若干の隙間を利用して固定孔１９の深部に押し込まれるとともに、第二のフェルール２４ｂによって第一のフェルール２４ａをばね部材２７の付勢力に抗して支持座１１側へ押し込む。
【００４４】
このとき、前記第一のフェルール２４ａは、その中途に設けた鍔部２６を支持座１１の溝部１４内を平行移動させることができるので、光電変換回路２２をシールドケース７内に固定するためにエンドキャップ８でこれを押し込んだ場合でも、第一，二のフェルール２４ａ，２４ｂに過度のストレス（押圧力）が加わることを確実に防止することができる。
【００４５】
最後に第二筒部５の内側の窪み３０を利用して第二のリング部材２９を支持座１１と一体成形された位置合わせ部材２８の外側に組付け、図１に示すレセプタクル２の組立てを完成する。そして、このように組み立てられたレセプタクル２は、フランジ部４の嵌合溝３２内に第一のリング部材３１を嵌め込み、電気機器Ａの装置筺体１０８の一部に第一筒部３の外周面に形成した螺子部を利用して固定される。
【００４６】
図２は上記レセプタクル２に接続される光プラグ３３の構造を示す縦断面図である。図２において、３４はその外周に組み付けられた後、Ｅリング等の固定金具５７によって一体的に取り付けた嵌合金具３５とともに第二筒部５内に収納されて、中央の貫通孔３６に挿通したフェルール３７の中心に内通した光コード３８をレセプタクル２側の第一のフェルール２４ａに内通した光コード２５と突き合わせる保持金具を示している。
【００４７】
３９は嵌合金具３５の外側に取り付けられたカップリングナットであり、開口部の内周面先端には、レセプタクル２の第二筒部５の外周面に形成した第一の係止部６に係止される係止溝４０を形成する第二の係止部４１が設けられている。
【００４８】
カップリングナット３９の中途部内側面には、嵌合金具３５側に張り出すストッパ４２が嵌合金具３５の突起部４３との間にバネワッシャ４４を介して一体成形されている。
【００４９】
前記バネワッシャ４４は、カップリングナット３９がレセプタクル２の第二筒部５に接続されたとき、ストッパ４２と嵌合金具３５間に介在して、過度にストレス（押圧力）が加わるのを抑制するものである。
【００５０】
４６はプラグケース４５の中空部に挿入される抜落防止部材であり、その中央部には、後述する光ファイバの光コードが挿通する貫通孔４７が形成されており、前記保持金具３４と螺子等を利用して、当該保持金具３４の貫通孔３６と抜落防止部材４６の貫通孔４７とを連通する拡開した中空部４８を閉塞するように固定されている。
【００５１】
前記中空部４８には、貫通孔３６に挿通するフェルール３７の先端部３７ａと比較して径大に形成した胴体部３７ｂと、前記先端部３７ａと同径の脚部３７ｃを内挿したばね部材４９が前記抜落防止部材４６との間に配置されている。なお、当該脚部３７ｃは、ばね部材４９内において、抜落防止部材４６との間に若干の隙間を形成する長さ寸法で形成されている。
【００５２】
５０はプラグケース４５内に収容された光ファイバであり、５１は内周面にテーパを形成したプラグケース４５を嵌合金具３５に螺合することにより、光ファイバ５０を外側から付勢してこれを保持する付勢筒を示している。
【００５３】
５２は光ファイバ５０を挿通するゴム等の樹脂材料からなる弾性部材を示しており、前記プラグケース４５との当接面は傾斜状となっており、その外側に取り付けた締付キャップ５３を前記プラグケース４５に螺合することにより、光ファイバ５０側へ押し込まれ、該光ファイバ５０を確実に保持するものである。
【００５４】
次に、図２に示す光プラグを図１に示すレセプタクル２に接続する場合について説明する。図３に示すように、電気機器Ａの装置筺体１０８に螺合して固定したレセプタクル２の第二筒部５と対向するように光プラグ３３を配置したら、レセプタクル２の位置合わせ部材２８が光プラグ３３の位置合わせ溝５４内に光プラグ３３の嵌合金具３５および保持金具３４を、図３の矢印にしたがって第二筒部５内に収納する（図４参照）。
【００５５】
これにより、光プラグ３３のフェルール３７は、レセプタクル２の第一のフェルール２４ａと突き合わされ、両フェルール２４ａ，３７の光コード２５，３８は光軸合わせを確実に達成する。このとき、両フェルール２４ａ，３８が突き合わされたとき、両フェルール２４ａ，３８にはストレス（押圧力）が加わるが、光プラグ３３のフェルール３７は中空部４８においてばね部材４９と胴体部３７ｂを収容しており、また、ばね部材４９に内挿する脚部３７ｃは抜落防止部材４６との間に若干の隙間を形成して構成されているので、フェルール３７に加わったストレスは胴体部３７ｂが当該ばね部材４９を最大、胴体部３７ｂが抜落防止部材４６と当接するまで圧縮することにより確実に解消され、フェルール３７がストレス（押圧力）によって破損することを阻止することができる。
【００５６】
このようにして、光プラグ３３の保持金具３４と嵌合金具３５が第二筒部５内に収納されたら、光プラグ３３のカップリングナット３９の第二の係止部４１を第二筒部５の第一の係止部６に当接させて、当該カップリングナット３９を回転させることにより、前記第一の係止部６は係止溝４０内に係止されて、図４に示すように、光プラグ３３をワンタッチでレセプタクル２に接続することができる。
【００５７】
このとき、光プラグ３３の嵌合金具３５の端部に形成した段差部５５はレセプタクル２の第二筒部５内に取り付けた第二のリング部材２９と当接して水密構造を実現する。つまり、嵌合金具３５と第二筒部５の間から水がレセプタクル２内に浸入しようとした場合、第二のリング部材２９と嵌合金具３５間の水密構造により防水構造が実現されているので、第一筒部３を通ってシールドケース７内に水が浸入して、光電変換回路２２を故障させることを確実に防止することができる。
【００５８】
また、当該レセプタクル２は、フランジ部４の装置筺体１０８との当接面に第一のリング部材３２が嵌合されているので、フランジ部４と装置筺体１０８間からの水の浸入は、当該第一のリング部材３２によって確実に防止することができ、電気機器Ａの筺体１０８内に水が浸入することはなく、装置筺体１０８内に配置された各種電気回路等が水と接触することにより不具合や故障を生じることを確実に防止できる。
【００５９】
図５は本発明のレセプタクル２を電気機器Ａに取り付けた状態を示す断面図である。図５に示すように、光電変換回路２２はレセプタクル２内部に収納されているので、レセプタクル２からは電気信号線９を装置筺体１０８内に延出させることができ、当該電気信号線９は、電気コネクタ５６を介して電気基板１０９に接続される。
【００６０】
つまり、本発明のレセプタクル（光電変換回路内蔵型コネクタ）２によれば、装置筺体１０８内で光ファイバ１１２を配線する必要がないので、当該光ファイバ１１２の配線作業時に断線が生じることに神経を使う必要はなく、また、電気機器Ａの組立て作業時に光ファイバ１１２が邪魔になることを防止するために、所定の固定治具１１３を別途設けたり、光ファイバ１１２の損傷を回避するための保護具を用意する必要はなく、構成部品の減少に基づく構造の簡素化、組立て作業の効率化、製品コストの低廉化を実現することができる。
【００６１】
また、光電変換回路２２はレセプタクル２のシールドケース７内に収容されているので、従来のように、装置筺体１０８内に配置した電気基板１０９上に別途シールドケース１１０を設けて、光電変換回路２２を外部ノイズから保護する必要はない。
【００６２】
以上のように、本発明の光電変換回路内蔵型コネクタは、簡易な構造により防水機能を備えたレセプタクルを実現でき、かつ、光プラグとの接続時にフェルールが破損することを確実に防止できるとともに、電気機器の筺体内で光ファイバを配線する作業を一切排して、従来製品と比較して利便性および信頼性を向上させることができる。
【産業上の利用可能性】
【００６３】
情報通信分野において、高速なデータ通信を可能とする光通信技術が採用される電気機器の光電変換用コネクタとして防水機能を備えた製品の提供が可能である。
【図面の簡単な説明】
【００６４】
【図１】本発明の光電変換回路内蔵型コネクタの縦断面図である。
【図２】前記コネクタに接続する光プラグの縦断面図である。
【図３】前記コネクタと光プラグの突合せ状態を示す説明図である。
【図４】前記コネクタと光プラグの接続状態を示す説明図である。
【図５】前記コネクタの電気機器との接続状態を示す横断面図である。
【図６】従来の光電変換器を示す縦断面図である。
【図７】従来の光電変換器と電気機器との接続状態を示す横断面図である。
【符号の説明】
【００６５】
１  固定部
１ａ  保持片
２１ａ，３６  貫通孔
２  レセプタクル
３  第一筒部
４  フランジ部
５  第二筒部
６  第一の係止部
７  シールドケース
８  エンドキャップ
９  電気信号線
１０  信号線挿通孔
１１  支持座
１２  螺子孔
１３  第一の貫通孔
１４  溝部
１５  固定座
１６，５７  固定金具
１７  螺子
１８  螺子孔
１９  固定孔
２０  第二の貫通孔
２２  光電変換回路
２３  支持片
２４ａ  第一のフェルール
２４ｂ  第二のフェルール
２５  光コード
２６  鍔部
２７  ばね部材
２８  位置合わせ部材
２９  第二のリング部材
３０  窪み
３１  第一のリング部材
３２  嵌合溝
３３  光プラグ
３４  保持金具
３５  嵌合金具
３７  フェルール
３７ａ  先端部
３７ｂ  胴体部
３７ｃ  脚部
３８  光コード
３９  カップリングナット
４０  係止溝
４１  第二の係止部
４２  ストッパ
４３  突起部
４４  バネワッシャ
４５  プラグケース
４６  抜落防止部材
４７  貫通孔
４８  中空部
４９  ばね部材
５０  光ファイバ
５１  付勢筒
５２  弾性部材
５３  締付キャップ
５４  位置合わせ溝
５５  段差部
５６  電気コネクタ
【図１】
2009086562.tif 000003
【図２】
2009086562.tif 000004
【図３】
2009086562.tif 000005
【図４】
2009086562.tif 000006
【図５】
2009086562.tif 000007
【図６】
2009086562.tif 000008
【図７】
2009086562.tif 000009